(57)【要約】【課題】この発明は、簡単・堅牢・安価な手段で対応することができる車両用乗降台の拡大・縮小装置の提供にある。【解決手段】乗降台はメイン乗降台とサブ乗降台とから構成され、サブ乗降台はメイン乗降台に、連係移動機構と回転駆動源の作動で移動し、それぞれに配備されるメイン乗降台プレートとサブ乗降台プレートが上下に重合して収納され、また反対に外方に繰出されてメイン乗降台プレートとサブ乗降台プレートが使用状態に接続する乗降台が拡張構成される。【選択図】        図２
2005022515.tif 000002
【特許請求の範囲】
【請求項１】
乗降台はメイン乗降台とサブ乗降台とから構成され、サブ乗降台はメイン乗降台に対して連係移動機構と回転駆動源の作動で移動し、それぞれに配備されるメイン乗降台プレートとサブ乗降台プレートが上下に重合して収納され、また反対に外方に繰出されてメイン乗降台プレートとサブ乗降台プレートが使用状態に接続されて乗降台が拡張構成される車両用乗降台の拡大・縮小装置。
【請求項２】
メイン乗降台に配備した回転駆動源は電動モーターとし、連係移動機構は、電動モーターによりメイン乗降台で回転する平歯車をサブ乗降台のラック歯と噛合し、サブ乗降台を繰出側または収納側にスライドする請求項１の車両用乗降台の拡大・縮小装置。
【請求項３】
サブ乗降台のサブ乗降台プレートは、その前端部がサブ乗降台フレームの前端部に所要間隔で下方に付勢されて配備された取付軸により昇降自在に取付けられ、残余の周囲の所要巾をサブ乗降台フレームに連接して支承され、収納側スライド時にメイン乗降台プレートの上方にスライドしてなる請求項１または請求項２の車両用乗降台の拡大・縮小装置。
【請求項４】
メイン乗降台側に軸支したメイン乗降台上左右ガイドローラーは、サブ乗降台上のサブ乗降台上左右ガイドレールに、サブ乗降台側に軸支したサブ乗降台上左右ガイドローラーは、メイン乗降台上のメイン乗降台上左右ガイドレールにそれぞれ連接し、サブ乗降台はメイン乗降台に対して平行度を保持して繰出側と収納側とにスライドしてなる請求項１、請求項２または請求項３車両用乗降台の拡大・縮小装置。
【請求項５】
サブ乗降台プレートの左右側部の下面には、滑り部材が固着されてなる請求項１、請求項２、請求項３または請求項４の車両用乗降台の拡大・縮小装置。
【請求項６】
サブ乗降台フレームの左右側部の下面の滑り部材の後端は、傾斜滑り面に形成されてなる請求項５の車両用乗降台の拡大・縮小装置。
【請求項７】
メイン乗降台プレートは、メイン乗降台フレーム上に固定されており、その前端部には傾斜滑り面を有する滑り板を接続し、同一上面形状で固定されてなる請求項１、請求項２、請求項３請求項４、請求項５または請求項６車両用乗降台の拡大・縮小装置。
【請求項８】
乗降台のメイン乗降台は、格納函に配備されたスライドフレームに基端が軸支される上昇降リンクと下昇降リンクの先端に軸支され、その上昇降リンクと下昇降リンクの作動で昇降するものである請求項１、請求項２、請求項３請求項４、請求項５、請求項６または請求項７の車両用乗降台の拡大・縮小装置。
【発明の詳細な説明】
【０００１】
【発明が属する技術分野】
この発明は、車椅子に乗車した状態で車両に乗降するための車両用乗降台の拡大・縮小装置に関するものである。
【０００２】
【従来の技術】
従来、車両用乗降台は、格納時に縮小するため、二つ折りして全長巾を約１／２に縮小するものが多い。
【０００３】
【発明が解決しようとする課題】
近年、この種、車両用乗降台の拡大・縮小装置が装備される福祉車両の増加にともない運行に従事する人材も専門技術者から一般のボランティアに移行している。そのためスイッチ操作で自動的に使用状態への繰出しと、所定位置への格納ができるものが要請されている。
【０００４】
しかるに、前記従来の乗降台を二つ折りするタイプのものは、手動式には適するが、スイッチ操作で自動的に折畳みと展開を行うと、機構が複雑になることと、また、乗降台全体が回動するという大きな動きを行うため危険性があることで問題があった。
【０００５】
この発明は、かかる要請に応えようとするもので、スイッチ操作で自動的に乗降台の拡大と縮小とが行え、コンパクトに格納でることを目的になされたものである。
【０００６】
【課題を解決するための手段】
乗降台はメイン乗降台とサブ乗降台とから構成され、サブ乗降台はメイン乗降台に対して連係移動機構と回転駆動源の作動で移動し、それぞれに配備されるメイン乗降台プレートとサブ乗降台プレートが上下に重合して収納され、また反対に外方に繰出されてメイン乗降台プレートとサブ乗降台プレートが使用状態に接続する乗降台が拡張構成される車両用乗降台の拡大・縮小装置にある。
【０００７】
メイン乗降台に配備した回転駆動源は電動モーターとし、連係移動機構は、電動モーターによりメイン乗降台で回転する平歯車をサブ乗降台のラック歯と噛合し、サブ乗降台を繰出側または収納側にスライドしてもよいものである。
【０００８】
サブ乗降台のサブ乗降台プレートは、その前端部がサブ乗降台フレームの前端部に所要間隔で下方に付勢されて配備された取付軸により昇降自在に取付けられ、残余の周囲の所要巾をサブ乗降台フレームに連接して支承され、収納側スライド時にメイン乗降台プレートの上方にスライドしてもよいものである。
【０００９】
メイン乗降台側に軸支したメイン乗降台上左右ガイドローラーは、サブ乗降台上のサブ乗降台上左右ガイドレールに、サブ乗降台側に軸支したサブ乗降台上左右ガイドローラーは、メイン乗降台上のメイン乗降台上左右ガイドレールにそれぞれ連接し、サブ乗降台はメイン乗降台に対して平行度を保持して繰出側と収納側とにスライドしてもよいものである。
【００１０】
サブ乗降台プレートの左右側部の下面には、滑り部材が固着されるようにしてもよいものである。
【００１１】
サブ乗降台フレームの左右側部の下面の滑り部材の後端は、傾斜滑り面に形成されるようにしてもよいものである。
【００１２】
メイン乗降台プレートは、メイン乗降台フレーム上に固定されており、その前端部には傾斜滑り面を有する滑り板を接続し、同一上面形状で固定されるようにしてもよいものである。
【００１３】
乗降台のメイン乗降台は、格納函に配備されたスライドフレームに基端が軸支される上昇降リンクと下昇降リンクの先端に軸支され、その上昇降リンクと下昇降リンクの作動で昇降してもよいものである。
【００１４】
【発明の実施の形態】
乗降台はメイン乗降台とサブ乗降台とから構成され、サブ乗降台はメイン乗降台に対して連係移動機構と回転駆動源の作動で移動し、それぞれに配備されるメイン乗降台プレートとサブ乗降台プレートが上下に重合して収納され、また反対に外方に繰出されてメイン乗降台プレートとサブ乗降台プレートが使用状態に接続する乗降台が拡張構成され、前記メイン乗降台に配備した回転駆動源は電動モーターとし、連係移動機構は、電動モーターによりメイン乗降台で回転する平歯車をサブ乗降台のラック歯と噛合し、サブ乗降台を繰出側または収納側にスライドし、前記サブ乗降台のサブ乗降台プレートは、その前端部がサブ乗降台フレームの前端部に所要間隔で下方に付勢されて配備された取付軸により昇降自在に取付けられ、残余の周囲の所要巾をサブ乗降台フレームに連接して支承され、収納側スライド時にメイン乗降台プレートの上方にスライドし、前記メイン乗降台側に軸支したメイン乗降台上左右ガイドローラーは、サブ乗降台上のサブ乗降台上左右ガイドレールに、サブ乗降台側に軸支したサブ乗降台上左右ガイドローラーは、メイン乗降台上のメイン乗降台上左右ガイドレールにそれぞれ連接し、サブ乗降台はメイン乗降台に対して平行度を保持して繰出側と収納側とにスライドし、前記サブ乗降台プレートの左右側部の下面には、滑り部材が固着され、前記サブ乗降台フレームの左右側部の下面の滑り部材の後端は、傾斜滑り面に形成され、前記メイン乗降台プレートは、メイン乗降台フレーム上に固定されており、その前端部には傾斜滑り面を有する滑り板を接続し、同一上面形状で固定され、前記乗降台のメイン乗降台は、格納函に配備されたスライドフレームに基端が軸支される上昇降リンクと下昇降リンクの先端に軸支され、その上昇降リンクと下昇降リンクの作動で昇降する車両用乗降台の拡大・縮小装置。
【００１５】
【実施例】
以下、この発明の車両用乗降台の拡大・縮小装置１を実施例である図面により説明すると、実施例の車両用乗降台の拡大・縮小装置１の乗降台２は、メイン乗降台３とサブ乗降台４とから構成され、サブ乗降台４はメイン乗降台３に、連係移動機構５と回転駆動源６の作動で移動し、それぞれのメイン乗降台プレート７とサブ乗降台プレート８が上下に重合されて収納され、また反対に外方に繰出されてメイン乗降台プレート７とサブ乗降台プレート８が所要前後長の一枚の使用状態のプレートに接続する乗降台２が拡張される。乗降台２のメイン乗降台３は、格納函９に配備されたスライドフレーム１０に基端が軸支される上昇降リンク１１と下昇降リンク１２の先端に軸支され、その上昇降リンク１１と下昇降リンク１２の作動で昇降するものである。
【００１６】
メイン乗降台３に配備した回転駆動源６（実施例では電動モーター６ａ、図示しないが、オイルモーターであってもよい）とし、連係移動機構５（実施例では、ラック歯５ａに噛合する平歯車５ｂ、図示しないが、ネジ棒とこれに噛合するナット歯車、チェーンとこれに噛合するスプロケットであってもよい）を介して連係移動機構５の一方が固定されるサブ乗降台４を繰出し側にスライドする。
【００１７】
前記スライド時、メイン乗降台３側に軸支したメイン乗降台上左右ガイドローラー１３ａ、１３ｂは、サブ乗降台４上のサブ乗降台上左右ガイドレール１４ａ、１４ｂに、サブ乗降台４側に軸支したサブ乗降台上左右ガイドローラー１５ａ、１５ｂは、メイン乗降台３上のメイン乗降台上左右ガイドレール１６ａ、１６ｂにそれぞれ連接し、サブ乗降台４は平行度を保持してスライドする。
【００１８】
前記メイン乗降台プレート７は、実施例ではアルミ板を用い、メイン乗降台フレーム３ａ上に固定されており、その前端部３ａ１には傾斜滑り面１７ａを有する滑り板（例えば、合成樹脂板）１７を接続し、同一上面形状で固定されている。
【００１９】
前記サブ乗降台プレート８は、実施例では同じくアルミ板を用い、サブ乗降台フレーム４ａに、周囲の所要巾を連接して支承されると共に、その前端部８ａが前記サブ乗降台フレーム４ａの前端部４ａ１に所要間隔で配備された取付軸１８により昇降自在に取付けられる。前記取付軸１８は、サブ乗降台フレーム４ａの軸受孔１９により上下にスライド自在であると共に、バネ２０により下方に付勢し、前記サブ乗降台プレート８をサブ乗降台フレーム４ａ上に密接させている。
【００２０】
前記サブ乗降台プレート８のサブ乗降台フレーム４ａにおける左右側部４ａ２、４ａ３と対応する左右側部８ｂ、８ｃには、滑り板２１ａ、２１ｂが固着されてなるものである。この滑り板２１ａ、２１ｂの後端は、前記メイン乗降台プレート７と接続する滑り板１７の前端の傾斜滑り面１７ａと対応する傾斜滑り面２１ａ１、２１ｂ１に形成されている。また、前記サブ乗降台プレート８の後端部８ｄの後端面８ｄ１も滑り傾斜面に形成されている。
【００２１】
前記滑り板１７と滑り板２１ａ、２１ｂは、相対的な部材であるから、コロ装置、ローラー装置その他に変えることができ、前記構造に限定されるものではない。
【００２２】
この発明の車両用乗降台の拡大・縮小装置は、前述のように構成されるから、乗降台２として使用するときには、メイン乗降台３に対してサブ乗降台４を繰出して拡大するものである。そして、その縮小時には、サブ乗降台４を回転駆動源６の電動モーター６ａにより連係移動機構５のラック歯５ａと平歯車５ｂの噛合により、平歯車５ｂの回転方向へ移動する。そこで、例えば図１および図２に示す状態から、縮小するときには、サブ乗降台４が移動すると、サブ乗降台プレート８は、後端面８ｄ１が傾斜面に構成されているので容易に乗り上げる。また、滑り板２１ａ、２１ｂが同様に連接し、円滑にスライドさせ、メイン乗降台プレート７の上側に重合する。そして、サブ乗降台プレート８の前端部８ａが上方へスライド自在に軸支されているから、バネ２０を縮小してサブ乗降台８を無理なく移動し、メイン乗降台３に収容するものである。
【００２３】
反対に、サブ乗降台４をメイン乗降台３から繰出すときには、滑り板２１ａ、２１ｂの作用で円滑にスライドさせることができ、最後に、サブ乗降台プレート８の前端部８ａのバネ２０の作用でサブ乗降台プレート８の前端部８ａをサブ乗降台フレーム４ａの前端部４ａ１に密接し、また、サブ乗降台プレート８の左右側部８ｂ、８ｃをサブ乗降台フレーム４ａの左右側部４ａ２、４ａ３に連接し、さらに、サブ乗降台プレート８の後端部８ｄをメイン乗降台プレート７の前端部７ａに連接して支承されるから、サブ乗降台プレート８は、動揺することがなく、安定して支承され、昇降作動時においても乗降者に不安を与えることがない。
【００２４】
ここで、簡単に乗降台２の作動の概略を説明すると、図７において、ａの矢印で示す位置では、格納函２２から乗降台２が繰出され、サブ乗降台４を前記のように繰出して最終端で所要の拡張した荷台面を持つ乗降台２を構成するものである。次に、前側フラッパー２２を起立し、また、車両側フラっパー２３を起立させた状態を示すものである。また、左右サイド手摺利２４をメイン乗降台３から起立し、その起立状態に固定して使用する。乗降台２を格納函２２に格納するときにおいて、その起立状態を解除してメイン乗降台３上に倒してから格納する。
【００２５】
同じく図７において、ｂの矢印で示す位置では、上昇降リンク１１、下昇降リンク１２を下降回動させて乗降台２を路面２５に連接した後、前側フラッパー２２を倒して路面２５から乗降台２に車椅子等を乗り入れまたは乗降台２から路面２５へ降りる状態を示すものである。
【００２６】
同じく図７において、ｃの矢印で示す位置では、上昇降リンク１１、下昇降リンク１２を上昇回動させて乗降台２を上昇し、車両２６の床面２７に適合させた位置で停止し、車両側フラッパー２４を車両２６の床面２７に乗降が可能なように伏倒した状態を示すものである。
【００２７】
【発明の効果】
この発明の車両用乗降台の拡大・縮小装置は、以上のようになるから、簡単・堅牢・安価な手段で対応することができるのである。
【００２８】
よって、この発明の車両用乗降台の拡大・縮小装置は、技術的に困難性がなく、ボランティアが容易に取り扱えるもので、取り扱いに画期的効果を奏するものである。
【図面の簡単な説明】
【図１】この発明の車両用乗降台の拡大・縮小装置のメイン乗降台とサブ乗降台の平面図である。
【図２】図１のＡ−Ａ線に沿う断面図である。
【図３】同じく、サブ乗降台をメイン乗降台に移動して重合させた状態の断面図である。
【図４】サブ乗降台におけるサブ乗降台プレートの前端取付構造を示す一部拡大断面説明図である。
【図５】メイン乗降台プレートの前端部およびそれに接続する滑り板の形状を示す拡大部分断面図である。
【図６】サブ乗降台プレートの後端部およびその下面に配備する滑り板の形状を示す拡大部分断面図である。
【図７】この発明の車両用乗降台の拡大・縮小装置の全体を示す外観図である。
【符号の説明】
１  車両用乗降台の拡大・縮小装置
２  乗降台
３  メイン乗降台
３ａ  メイン乗降台フレーム
３ａ１  前端部
４  サブ乗降台
４ａ  サブ乗降台フレーム
４ａ１  前端部
４ａ２  左側部
４ａ３  右側部
５  連係移動機構
５ａ  ラック歯
５ｂ  平歯車
６  回転駆動源
６ａ  電動モーター
７  メイン乗降台プレート
７ａ  前端部
８  サブ乗降台プレート
８ａ  前端部
８ｂ  左側部
８ｃ  右側部
８ｄ  後端部
８ｄ１  後端面
９  格納函
１０  スライドフレーム
１１  上昇降リンク
１２  下昇降リンク
１３ａ  メイン乗降台上左ガイドローラー
１３ｂ  メイン乗降台上右ガイドローラー
１４ａ  サブ乗降台上左ガイドレール
１４ｂ  サブ乗降台上右ガイドレール
１５ａ  サブ乗降台上左ガイドローラー
１５ｂ  サブ乗降台上右ガイドローラー
１６ａ  メイン乗降台上左ガイドレール
１６ｂ  メイン乗降台上右ガイドレール
１７  滑り板
１７ａ  傾斜滑り面
１８  取付軸
１９  軸受孔
２０  バネ
２１ａ  滑り板
２１ｂ  滑り板
２１ａ１  傾斜滑り面
２１ｂ１  傾斜滑り面
２２  前側フラッパー
２３  車両側フラッパー
２４  左右サイド手摺
２５  路面
２６  車両
２７  床面
【図１】
2005022515.tif 000003
【図２】
2005022515.tif 000004
【図３】
2005022515.tif 000005
【図４】
2005022515.tif 000006
【図５】
2005022515.tif 000007
【図６】
2005022515.tif 000008
【図７】
2005022515.tif 000009